(57)【要約】【課題】他の電子機器等での電波障害の発生を防ぐことができる発光具を提供する。【解決手段】発光部３と、識別子２１を読み取る識別子読み取り部５と、識別子読み取り部５で読み取った識別子２１の情報に応じた発光パターンで、発光部３発光させる制御部７とを有する発光具１である。【選択図】図１
2018142468.tif 000002
【特許請求の範囲】
【請求項１】
発光部と、
識別子を読み取る識別子読み取り部と、
前記識別子読み取り部で読み取った識別子の情報に応じた発光パターンで、前記発光部を発光させる制御部と、
を有することを特徴とする発光具。
【請求項２】
請求項１に記載の発光具において、
前記識別子は、一次元コードであり、複数列で配置されており、この複数列に配置されているものが１のまとまった情報を構成しており、
前記識別子読み取り部は、１回の読み取り操作で、前記識別子の読み取りをするように構成されていることを特徴とする発光具。
【請求項３】
請求項１または請求項２に記載の発光具において、
前記識別子読み取り部は、柱状の筐体の基端に設けられていることを特徴とする発光具。
【請求項４】
請求項１〜請求項３のいずれか１項に記載の発光具において、
前記識別子は、ブレスレット、または、ストラップ、または、人の体もしくは衣服につける装身具に付されていることを特徴とする発光具。
【請求項５】
請求項３に記載の発光具において、
前記識別子は、チップに付されており、
前記筐体の基端部には、前記識別子読み取り部での識別子の読み取りのために、前記チッブが設置されるチップ設置部が設けられていることを特徴とする発光具。
【発明の詳細な説明】
【技術分野】
【０００１】
本発明は、発光具に係り、たとえば、コンサート会場で使用されるものに関する。
【背景技術】
【０００２】
従来、無線ＬＡＮの信号（電波信号）を受信し、受信した信号に対応した発光パターンで発光部が発光する発光具が知れられている（たとえば特許文献１参照）。
【先行技術文献】
【特許文献】
【０００３】
【特許文献１】特開２０１４−２１２０２１号公報
【発明の概要】
【発明が解決しようとする課題】
【０００４】
ところで、従来の発光具では、電波信号を用いて発光パターンを送っているので、他の電子機器等で電波障害が発生するおそれがある。
【０００５】
本発明は、上記問題点に鑑みてなされたものであり、他の電子機器等での電波障害の発生を防ぐことができる発光具を提供することを目的とする。
【課題を解決するための手段】
【０００６】
請求項１に記載の発明は、発光部と、識別子を読み取る識別子読み取り部と、前記識別子読み取り部で読み取った識別子の情報に応じた発光パターンで、前記発光部を発光させる制御部とを有する発光具である。
【０００７】
請求項２に記載の発明は、請求項１に記載の発光具において、前記識別子は、一次元コードであり、複数列で配置されており、この複数列に配置されているものが１のまとまった情報を構成しており、前記識別子読み取り部は、１回の読み取り操作で、前記識別子の読み取りをするように構成されている発光具である。
【０００８】
請求項３に記載の発明は、請求項１または請求項２に記載の発光具において、前記識別子読み取り部は、柱状の筐体の基端に設けられている発光具である。
【０００９】
請求項４に記載の発明は、請求項１〜請求項３のいずれか１項に記載の発光具において、前記識別子は、ブレスレット、または、ストラップ、または、人の体もしくは衣服につける装身具に付されている発光具である。
【００１０】
請求項５に記載の発明は、請求項３に記載の発光具において、前記識別子は、チップに付されており、前記筐体の基端部には、前記識別子読み取り部での識別子の読み取りのために、前記チッブが設置されるチップ設置部が設けられている発光具である。
【発明の効果】
【００１１】
本発明によれば、他の電子機器等での電波障害の発生を防ぐことができる発光具を提供することができるという効果を奏する。
【図面の簡単な説明】
【００１２】
【図１】本発明の実施形態に係る発光具を示す図である。
【図２】本発明の実施形態に係る発光具で使用されるチップを示す図である。
【図３】本発明の実施形態に係る発光具で使用されるブレスレットを示す図である。
【図４】本発明の実施形態に係る発光具で使用されるブレスレットを示す図である。
【図５】本発明の実施形態に係る発光具で使用されるストラップを示す図である。
【発明を実施するための形態】
【００１３】
本発明の実施形態に係る発光具１は、たとえば、コンサート用のライトとして観客（使用者）が手に持って使用するものであり、図１で示すように、発光部３と識別子読み取り部５と制御部７とを備えている。
【００１４】
発光部３は、赤色を発する赤色ＬＥＤ（図示せず）と、緑色を発する緑色ＬＥＤ（図示せず）と、青色を発する青色ＬＥＤ（図示せず）とを備えて構成されており、これらの三原色を発する各ＬＥＤそれぞれの光度（輝度）を適宜変えることで、フルカラーで任意の色で発光するようになっている。
【００１５】
識別子読み取り部５は、たとえば、バーコード２１（図２等参照）等の一次元コードを読み取るものであり、バーコードに赤外線を照射し、反射して返ってきた赤外線を検出することで、バーコード２１を読み取るようになっている。
【００１６】
制御部７は、ＣＰＵ９とメモリ１１とを備えて構成されており、識別子読み取り部（バーコード読み取り部）５で読み取ったバーコード２１の情報に応じた発光パターンで、発光部３を発光させるようになっている。なお、メモリ１１には、たとえば、バーコード読み取り部５で読み取ったバーコード２１の情報に対応した発光パターンが予め記憶されている。
【００１７】
発光具１についてさらに詳しく説明すると、発光具１は筐体１３を備えて構成されており、筐体１３は、グリップ（把持部）１５と発光部カバー（発光部覆い）１７とを備えて構成されている。
【００１８】
グリップ１５は黒色等の不透明な合成樹脂で有底円筒状（円筒枡状；円筒の一方の端の円形の開口部を円板で塞いだ形状）に形成されており、円筒の端部（開口している側の端部）の内周にはメスネジ部（図示せず）が形成されている。
【００１９】
発光部カバー１７は、透明もしくは乳白色等の半透明の合成樹脂で有底円筒状に形成されており、円筒の端部（開口している側の端部）の外周にはオスネジ部（図示せず）が形成されている。
【００２０】
そして、発光部カバー１７のオスネジ部がグリップ１５のメスネジ部に螺合することで、グリップ１５と発光部カバー１７とが一体化し、筐体１３が形成されている。筐体１３の内部には、円柱状の空間が形成されている。
【００２１】
筐体１３の内部には、発光部３と、バーコード読み取り部５と、電池等で構成された電源１９と、制御部７とが設けられている。発光部３とバーコード読み取り部５と電源１９と制御部７とは、グリップ１５に一体的に設けられている。
【００２２】
なお、制御部７と電源１９とがグリップ１５内に設けられているのに対して、発光部３は、グリップ１５の開口部から発光部カバー１７側に突出している。そして、発光部３で発した光が、発光部カバー１７を通って、筐体１３の外部に出てくるようになっている。すなわち、発光部３が発光した色で発光部カバー１７が発光するようになっている。電源１９は、制御部７や発光部３に電力を供給するようになっている。
【００２３】
また、バーコード読み取り部５は、グリップ１５の基端部でグリップ１５内に設けられているが、グリップ１５の基端から外側に向かって（バーコード２１に向かって）赤外線を発し、この発した赤外線のうちバーコード２１で反射されて戻ってきた赤外線を検出するようになっている。
【００２４】
バーコード２１は、図２で示すように、複数列（たとえば２列）でお互いが平行になって配置されており、この複数列に配置されているものが、１のバーコード（１のまとまった情報）を構成している。
【００２５】
すなわち、バーコード２１は、たとえば、お互いが同じ形態の２つのバーコードが、２列になって配置されているのではなく、１のバーコードがたとえば２分割されて２列に入りされているのであって、２列の情報を併せることで、１のバーコードになっている。
【００２６】
バーコード読み取り部５は、１回の読み取り操作で、バーコード２１の読み取りをするように構成されている。
【００２７】
詳しく説明すると、バーコード２１が付されている平面において、所定の一方向をバーコード２１の長さ方向（縦方向）とし、この長さ方向に対して直交する方向をバーコード２１の高さ（横方向；幅方向）とする。
【００２８】
バーコード２１は、ナローバーと、ワイドバーと、ナローバーやワイドバーの間のスペースとで構成されている。直線状のナローバーやワイドバーの延伸方向が、バーコード２１の高さ（横方向）になっており、ナローバーとワイドバーとスペースとがならんでいる方向が、バーコード２１の長さ方向（縦方向）になっている。また、分割がされていないバーコード２１の長さ寸法の値は、バーコード２１の高さ寸法の値よりも大きくなっている。
【００２９】
たとえば、２列で配置されているバーコード２１は、発光パターンを示す１つのバーコード２１をこの長さ方向でお互いの長さが等しいものに２分割し、これらの２分割されたものを所定の間隔をあけてならべたものである。
【００３０】
さらに説明すると、２分割されたものは、バーコード２１の幅方向で所定の間隔をあけて配置されているとともに、２分割されたものの長さ方向はお互いが一致しており（お互いが平行になっており）、さらに、バーコード２１の長さ方向では、２分割されたものの位置はお互いが一致している。
【００３１】
２分割されたもののそれぞれは、上述したように、１の発光パターンを示す識別子としての機能を果たすことはなく、２分割されたものを併せることで、１の発光パターンを示す識別子としての機能を果たすようになる。
【００３２】
１回の読み取り操作とは、バーコード読み取り部５をバーコード２１に所定の短い１回の時間だけ当接させる操作、バーコード読み取り部５をバーコード２１の近傍に所定の短い１回の時間だけ位置させる操作、バーコード読み取り部５をバーコード２１の長さ方向の一端部に当接させたまま、バーコード読み取り部５を、バーコード２１に対して相対的に、バーコード２１の長さ方向の他端部に向かって１回移動させる操作（バーコード読み取り部５をバーコード２１に当接させての走査）、もしくは、バーコード読み取り部５をバーコード２１の長さ方向の一端部の近傍に位置させたまま、バーコード読み取り部５を、バーコード２１に対して相対的に、バーコード２１の長さ方向の他端部に向かって１回移動させる等の操作（バーコード読み取り部５をバーコード２１の近傍に位置させての走査）をいう。
【００３３】
また、発光具１では、バーコード読み取り部５は、柱状の筐体１３（グリップ１５）の基端（底面）に設けられている。
【００３４】
また、バーコード２１は、図２で示すように、チップ２３に付されている。筐体１３の基端部には、バーコード読み取り部５でのバーコード２１の読み取りのために、チップ２３が設置され保持部されるチップ設置部２５が設けられている。なお、チップ設置部２５の詳しい構成については、説明を省略する。
【００３５】
チップ２３は平板状に形成されており、この厚さ方向から見ると、たとえばハート形に形成されている。バーコード２１は、２列になって、チップ２３の厚さ方向の両面もしくは一方の面に付されている。
【００３６】
チップ２３をこの厚さ方向から見ると、２つに分割されているバーコード２１の一方のものは、ハートの左側に設けられており、２つに分割されているバーコード２１の他方のものは、ハートの左側に設けられている。
【００３７】
チップ２３は、この厚さ方向が、柱状の筐体１３の高さ方向と一致するようにして、チップ設置部２５に設置されるようになっている。そして、チップ２３がチップ設置部２５に設置されても、チップ２３が筐体１３から突出しないようになっている（発光具１の長さ寸法；図１の上下方向の寸法が変化しないようになっている）。
【００３８】
また、チップ２３は、図２に矢印で示す方向（バーコード２１の長さ方向）に移動することで、チップ設置部２５に挿入されて設置されるようになっている。これにより、誤った態様でのチップ設置部２５へのチップ２３の設置を無くすことができる。
【００３９】
なお、チップ２３が、この厚さ方向から見たときに、ハート形以外の形状になっていてもよい。ただし、チップ２３のチップ設置部２５への挿入方向では非対称な形状になっており、チップ２３のチップ設置部２５への挿入方向に対して直交する方向では、対称な形状になっていることが望ましい。
【００４０】
また、発光具１には、発光具１の電源をオン・オフ等するための操作ボタン２７が設けられている。
【００４１】
ここで、発光具１の動作について説明する。
【００４２】
初期状態では、発光具１の電源がオフなっており、チップ設置部２５にチップ２３が設置されている。
【００４３】
上記初期状態で電源をオンすると、バーコード読み取り部５でチップ設置部２５に設置されているチップ２３のバーコード２１を読み取り（２列のものを同時に読み取り）、読み取ったバーコード２１の情報に応じた発光パターンで発光部３が発光する。
【００４４】
また、電源をオンしたまま、チップ２３を別のもの（別のバーコード２１が付されているもの）に交換すると、バーコード読み取り部５が、チップ２３のバーコード２１を再び読み取り、読み取ったバーコード２１の情報に応じた発光パターンで発光部３が発光する。
【００４５】
なお、チップ２３を交換している間の時間では、次のチップ２３を読み取るまで、交換前のチップの発光パターンで発光部３が発光するが、チップ２３を交換している間の時間発光部３が消灯するようにしてもよい。
【００４６】
発光具１によれば、電波を用いることなく、バーコード読み取り部５で読み取ったバーコード２１の情報に応じた発光パターンで発光部３が発光するので、様々な発光パターンでの発光を、他の電子機器での電波障害を発生させることなくすることができる。
【００４７】
また、発光具１によれば、バーコード２１が２列で配置されているので、バーコード２１の長さ寸法を小さくすることができ、円筒状の発光具１の基端に設けられているバーコード読み取り部５での読み取りがしやすくなっている（たとえば、走査することなくバーコード２１の読み取りが可能になる）。
【００４８】
さらに、バーコード２１が２列で配置されているので、チップ２３の長さ寸法を小さくすることができ、円筒状の発光具１の基端にチップ２３を設置したときに、チップ２３の発光具１からのはみ出しを無くすことができる。
【００４９】
また、発光具１によれば、バーコード読み取り部５が柱状の筐体１３の基端（底面）に設けられているので、発光部３で発光した光を妨げることなく、バーコード２１の読み取りをすることができる。
【００５０】
また、発光具１によれば、筐体１３の基端部にチップ設置部２５が設けられているので、バーコード２１が付されているチップ２３をチップ設置部２５に予め設置しておけば、コンサート会場等において、所定の発光パターンでの発光を確実に行うことができる。
【００５１】
ところで、バーコード２１をチップ２３以外のものに付してもよい。たとえば、図３、図４で示すように、ブレスレット２９に付してもよいし、図５で示すように、ストラップ３１に付してもよいし、さらには、人の腕等の体もしくは衣服につける装身具に付してもよい。
【００５２】
図３に示すブレスレット２９は、伸縮性のある材料で環状に形成されており、図５に示すブレスレット２９は、手首に装着するときにボタン３５等の締結体（ファスナ）を外すと、細長い帯状になるが、手首に装着している状態では、ボタン３５が締結されていることで、環状になる。
【００５３】
バーコード２１を、ブレスレット２９やストラップ３１や装身具に付することで、バーコード２１を容易に取得することができる。
【００５４】
なお、図３〜図５で示す黒塗り三角３３は、バーコード読み取り部５によるバーコード２１の走査方向である。
【符号の説明】
【００５５】
１  発光具
３  発光部
５  識別子読み取り部（バーコード読み取り部）
７  制御部
１３  筐体
２１  識別子（バーコード）
２３  チップ
２５  チップ設置部
２９  ブレスレット
３１  ストラップ
【図１】
2018142468.tif 000003
【図２】
2018142468.tif 000004
【図３】
2018142468.tif 000005
【図４】
2018142468.tif 000006
【図５】
2018142468.tif 000007